(57)【要約】      （修正有）【課題】荷物の内容などに関する説明などを、それを保護シールで覆い隠しながら当該荷物に貼り付けて使用することができる連絡用貼付シートを提供する。【解決手段】それぞれ同一形状及び同一の大きさからなる、筆記シート３と、基材シート２と、保護シート４とが三層に積層されてなる連絡用貼付シートであって、前記筆記シート３は表面が情報記載部になっていると共に、前記保護シート４は前記筆記シート３の表面に前記保護シート４の裏面を上側から積層した際に当該情報記載部に記載されている事項を視認できなくする不透明な部材からなり、前記基材シート２の表面と、前記筆記シート３の裏面とが第一の接着剤層を介して貼着され、前記基材シート２の裏面と、前記保護シート４の裏面とが、前記基材シート２の裏面に形成されている第二の接着剤層及び、前記保護シート４の裏面に形成されている再剥離再貼着可能な低粘着型の接着剤層とを介して貼着されている連絡用貼付シート。【選択図】図１
0003176619.tif 000002
【実用新案登録請求の範囲】
【請求項１】
それぞれ同一形状及び同一の大きさからなる、筆記シートと、基材シートと、保護シートとが三層に積層されてなる連絡用貼付シートであって、
前記筆記シートは表面が情報記載部になっていると共に、前記保護シートは前記筆記シートの表面に前記保護シートの裏面を上側から積層した際に当該情報記載部に記載されている事項を視認できなくする不透明な部材からなり、
前記基材シートの表面と、前記筆記シートの裏面とが第一の接着剤層を介して貼着され、
前記基材シートの裏面と、前記保護シートの裏面とが、前記基材シートの裏面に形成されている第二の接着剤層及び、前記保護シートの裏面に形成されている再剥離再貼着可能な低粘着型の接着剤層とを介して貼着されている
ことを特徴とする連絡用貼付シート。
【請求項２】
前記第二の接着剤層は、強粘着型の接着剤層であることを特徴とする請求項１記載の連絡用貼付シート。
【請求項３】
前記筆記シートの表面に罫線が形成されていることを特徴とする請求項１又は２記載の連絡用貼付シート。
保護シール付き筆記シート。
【考案の詳細な説明】
【技術分野】
【０００１】
この考案は、連絡用貼付シートに関し、特に、荷物を送る際に、当該荷物の中身などを短文で簡潔に記載し、それを保護シールで覆い隠しながら当該荷物に貼り付けて使用することができる連絡用貼付シートに関する。
【背景技術】
【０００２】
従来、荷物を届けたい相手方に送る際に、当該荷物の内容を説明する書類などを荷物に同封することがある。この場合、荷物ごとに説明書類を作成するのでは煩雑になることがある。
【０００３】
一方、インターネットなどの普及、情報技術の発達により、電子メールを利用したコミュニケーション方法が確立されている。電子メールでは、簡単な短文で情報の送受信が行えるので、紙媒体での情報通信よりも負担が少なくなることがある。
【先行技術文献】
【特許文献】
【０００４】
【特許文献１】特開２０００−７３０３０号公報
【特許文献２】実用新案登録第３０６６５０５号公報
【考案の概要】
【考案が解決しようとする課題】
【０００５】
そこで、本考案は、荷物を送る際に、電子メールのように簡単な、短文で荷物の内容などを記載することに適した連絡用貼付シートを提供することを目的にしている。
【課題を解決するための手段】
【０００６】
請求項１記載の考案は、
それぞれ同一形状及び同一の大きさからなる、筆記シートと、基材シートと、保護シートとが三層に積層されてなる連絡用貼付シートであって、
前記筆記シートは表面が情報記載部になっていると共に、前記保護シートは前記筆記シートの表面に前記保護シートの裏面を上側から積層した際に当該情報記載部に記載されている事項を視認できなくする不透明な部材からなり、
前記基材シートの表面と、前記筆記シートの裏面とが第一の接着剤層を介して貼着され、
前記基材シートの裏面と、前記保護シートの裏面とが、前記基材シートの裏面に形成されている第二の接着剤層及び、前記保護シートの裏面に形成されている再剥離再貼着可能な低粘着型の接着剤層とを介して貼着されている
ことを特徴とする連絡用貼付シート
である。
【０００７】
請求項２記載の考案は、
前記第二の接着剤層は、強粘着型の接着剤層であることを特徴とする請求項１記載の連絡用貼付シート
である。
【０００８】
請求項３記載の考案は、
前記筆記シートの表面に罫線が形成されていることを特徴とする請求項１又は２記載の連絡用貼付シート
である。
【考案の効果】
【０００９】
この考案によれば、荷物を送る際に、電子メールのように簡単な、短文で荷物の内容などを記載することに適した連絡用貼付シートを提供することができる。すなわち、荷物を送る際に、荷物の内容などに関する説明などを、メモ書き程度の短文で簡潔に記載し、それを保護シールで覆い隠しながら当該荷物に貼り付けて使用することができる連絡用貼付シートを提供することができる。
【図面の簡単な説明】
【００１０】
【図１】本考案の一実施形態を表す図であって、（ａ）連絡用貼付シートの斜視図、（ｂ）他の実施形態の連絡用貼付シートから保護シートを剥がす状態の斜視図、（ｃ）連絡事項が記載されている筆記シートの表面に保護シートを貼り付ける状態の斜視図、（ｄ）梱包・密封等された荷物搬送用の容器に連絡用貼付シートを貼り付けた状態を表す斜視図。
【考案を実施するための形態】
【００１１】
以下、図面を参照して本考案の一実施形態について説明する。
【００１２】
本考案の連絡用貼付シート１は、それぞれ同一形状及び同一の大きさからなる筆記シート３と、基材シート２と、保護シート４とが三層に積層されて形成されている。
【００１３】
筆記シート３は表面３ａが情報記載部になっている。保護シート４は筆記シート３の表面３ａに保護シート４の裏面を上側から積層した際に当該情報記載部に記載されている事項を視認できなくする不透明な部材から形成されている。
【００１４】
基材シート２の表面と、筆記シート３の裏面とは、第一の接着剤層２ａを介して貼着されている。
【００１５】
基材シート２の裏面と、保護シート４の裏面とは、基材シート２の裏面に形成されている第二の接着剤層２ｂ及び、保護シート４の裏面に形成されている再剥離再貼着可能な低粘着型の接着剤層４ａとを介して貼着されている。
【００１６】
筆記シート３の表面３ａからなる情報記載部は、例えば、図１（ａ）図示のように白紙の状態に形成しておくことができ、この情報記載部にメモ書きのように簡単な情報（連絡事項）を短文で記載することができる。文字情報の記入を補助するべく、図１（ｂ）図示のように、筆記シート３の表面３ａからなる情報記載部には、あらかじめ罫線６が形成されている形態にすることもできる。
【００１７】
以下、本考案の連絡用貼付シート１の使い方の一例を説明する。
【００１８】
図１（ｄ）図示のように、荷物搬送用の容器７に荷物を収容し、テープ５などを用いて梱包や密封した後、筆記シート３の表面３ａからなる情報記載部に、当該荷物搬送用の容器７を受け取る人にあてた連絡事項を記入する。例えば、当該荷物搬送用の容器７に収容されている荷物に関する情報を簡単に記載する。
【００１９】
次に、保護シート４の裏面を図１（ｂ）図示のように、基材シート２の裏面から剥離する。保護シート４の裏面に形成されているのは、再剥離再貼着可能な低粘着型の接着剤層４ａであるので、簡単に、保護シート４の裏面を基材シート２の裏面から剥離することができる。
【００２０】
その後、基材シート２の裏面を、当該裏面に形成されている第二の接着剤層２ｂを介して、図１（ｄ）図示のように、梱包・密封済の荷物搬送用の容器７の見えやすい位置に貼り付ける。
【００２１】
次いで、保護シート４の裏面を、図１（ｃ）図示のように、表面３ａからなる情報記載部に連絡事項が記入されている筆記シート３の表面３ａに、保護シート４の裏面に形成されている再剥離再貼着可能な低粘着型の接着剤層４ａを介して、貼り付け、図１（ｄ）図示の状態にする。
【００２２】
図１（ｄ）図示の状態では、保護シート４の表面が、荷物搬送用の容器７に貼り付けられている連絡用貼付シート１の一番上側の面（表面）になる。保護シート４は不透明であるので、図１（ｄ）図示の状態では、筆記シート３の表面３ａからなる情報記載部に記載されている連絡事項を読み取ることができない。
【００２３】
図１（ｄ）図示のように梱包・密封されている荷物搬送用の容器７を受け取った受取人は、保護シート４を、筆記シート３の表面３ａ（情報記載部）から剥離し、ここに記載されている情報を読み取ることができる。この場合も、保護シート４の裏面に形成されているのは、再剥離再貼着可能な低粘着型の接着剤層４ａであるので、簡単に、保護シート４を筆記シート３の表面３ａ（情報記載部）から剥離することができる。
【００２４】
なお、基材シート２の裏面に形成されている第二の接着剤層２ｂを強粘着型の接着剤層にしておけば、密封済の荷物搬送用の容器７が搬送されている間に連絡用貼付シート１が剥離してしまうことを防止できる。
【００２５】
なお、第二の接着剤層２ｂに用いられる強粘着型の接着剤、再剥離再貼着可能な低粘着型の接着剤層４ａに用いられる接着剤については、いずれも従来公知のものを採用することができ、特に限定はない。
【００２６】
本考案の連絡用貼付シート１により、荷物を送る際に長文を要する手紙を同封する負担を減らし、電子メールのようにあいさつなどの短文を手軽に書き添えて荷物を送ることができる。
【００２７】
また、前記あいさつなどの短文は、不透明な保護シート４を、その裏面に形成されている剥離再貼着可能な低粘着型の接着剤層４ａを介して、連絡事項が記入されている筆記シート３の表面３ａに貼り付けることにより覆い隠すことができる。そこで、荷物が相手方に届くまで連絡事項などの短文は保護される。
【００２８】
以上、添付図面を参照して本考案の好ましい実施形態、実施例を説明したが、本考案はかかる実施形態、実施例に限定されるものではなく、実用新案登録請求の範囲の記載から把握される技術的範囲において種々の形態に変更可能である。
【符号の説明】
【００２９】
１  連絡用貼付シート
２  基材シート
２ａ  第一の接着剤層
２ｂ  第二の接着剤層（強粘着型の接着剤層）
３  筆記シート
３ａ  筆記シートの表面（情報記載部）
４  保護シート
４ａ  再剥離再貼着可能な低粘着型の接着剤層
５  テープ
６  罫線
７  荷物搬送用の容器
【図１】
0003176619.tif 000003
【手続補正書】
【提出日】平成24年4月18日(2012.4.18)
【手続補正１】
【補正対象書類名】実用新案登録請求の範囲
【補正対象項目名】全文
【補正方法】変更
【補正の内容】
【実用新案登録請求の範囲】
【請求項１】
それぞれ同一形状及び同一の大きさからなる、筆記シートと、基材シートと、保護シートとが三層に積層されてなる連絡用貼付シートであって、
前記筆記シートは表面が情報記載部になっていると共に、前記保護シートは前記筆記シートの表面に前記保護シートの裏面を上側から積層した際に当該情報記載部に記載されている事項を視認できなくする不透明な部材からなり、
前記基材シートの表面と、前記筆記シートの裏面とが第一の接着剤層を介して貼着され、
前記基材シートの裏面と、前記保護シートの裏面とが、前記基材シートの裏面に形成されている第二の接着剤層及び、前記保護シートの裏面に形成されている再剥離再貼着可能な低粘着型の接着剤層とを介して貼着されている
ことを特徴とする連絡用貼付シート。
【請求項２】
前記第二の接着剤層は、強粘着型の接着剤層であることを特徴とする請求項１記載の連絡用貼付シート。
【請求項３】
前記筆記シートの表面に罫線が形成されていることを特徴とする請求項１又は２記載の連絡用貼付シート。